(57)【要約】【課題】写損が生じた際に照射した放射線の線量等を定量的に管理することが可能な放射線画像撮影システムを提供する。【解決手段】放射線画像撮影システム１００は、撮影された放射線画像ｐ、ｐpreが写損であることを入力する入力手段Ｃと、撮影された放射線画像ｐ、ｐpreが写損であることが入力された場合に、写損とされた撮影に関する線量情報を保存する記憶手段Ｃｍと、記憶手段Ｃｍに保存された写損とされた撮影に関する線量情報を出力する出力手段Ｃとを備える。【選択図】図４
2017144075.tif 000002
【特許請求の範囲】
【請求項１】
撮影された放射線画像が写損であることを入力する入力手段と、
撮影された放射線画像が写損であることが入力された場合に、写損とされた撮影に関する線量情報を保存する記憶手段と、
前記記憶手段に保存された前記写損とされた撮影に関する線量情報を出力する出力手段と、
を備えることを特徴とする放射線画像撮影システム。
【請求項２】
管理システムから撮影オーダー情報を取得するオーダー取得手段を備え、
前記出力手段は、前記記憶手段に保存された前記写損とされた撮影に関する線量情報を前記管理システムに出力することを特徴とする請求項１に記載の放射線画像撮影システム。
【請求項３】
被写体を透過した放射線を信号値として読み出す放射線画像撮影装置から転送された前記信号値に基づいて前記放射線画像を生成するコンソールが、前記オーダー取得手段および前記出力手段として機能し、
前記記憶手段は、前記コンソールの記憶手段であることを特徴とする請求項２に記載の放射線画像撮影システム。
【請求項４】
前記写損とされた放射線画像の撮影に関する線量情報には、当該撮影の際に放射線発生装置に設定された管電圧、管電流、曝射時間、照射線量の少なくとも１つが含まれることを特徴とする請求項１から請求項３のいずれか一項に記載の放射線画像撮影システム。
【請求項５】
前記写損となった放射線画像の撮影に関する線量情報には、当該撮影の際に、前記放射線画像を撮影する放射線画像撮影装置に照射された放射線の線量が含まれることを特徴とする請求項１から請求項４のいずれか一項に記載の放射線画像撮影システム。
【請求項６】
前記写損となった放射線画像の撮影に関する線量情報には、当該撮影の際に放射線発生装置から照射された放射線の線量が含まれることを特徴とする請求項１から請求項５のいずれか一項に記載の放射線画像撮影システム。
【請求項７】
写損とされた前記放射線画像に対して写損取り消しを指示する写損取り消し手段を備え、
前記出力手段は、前記写損取り消し手段により写損取り消しが指示された前記線量情報については、写損ではない線量情報として前記管理システムに出力することを特徴とする請求項１から請求項６のいずれか一項に記載の放射線画像撮影システム。
【発明の詳細な説明】
【技術分野】
【０００１】
本発明は、放射線画像撮影システムに関する。
【背景技術】
【０００２】
放射線発生装置からＸ線等の放射線を照射し、被写体を透過した放射線を放射線画像撮影装置（Flat Panel Detector）で信号値として読み出してコンソール等に転送し、転送されてきた信号値に基づいてコンソール等で放射線画像を生成する放射線画像撮影システムの開発が進んでいる。そして、このような放射線画像撮影システムでは、コンソール等の表示部上に放射線画像を表示し、放射線技師等の操作者が表示された放射線画像を見て、再撮影の要否を判断するように構成される場合が多い。
【０００３】
すなわち、被写体である患者の体動等によって画像がぶれていたり、放射線を照射させる範囲（すなわち照射野）の設定をミスして病変部等が適切に撮影されていなかったり、照射する放射線の線量が不足して或いは多過ぎて画像が全体的に白っぽく或いは黒っぽくなっている場合には、そのような放射線画像を診断用の画像とすることができない。そのため、このような場合には、放射線技師等の操作者は、当該画像を写損と判断して、再撮影を行う。
【０００４】
そして、例えば特許文献１では、画像の写損が発生した場合にその理由を記憶し、記憶手段に記憶された写損理由を表示手段に表示させるように構成することで、例えば画像の写損理由とその撮影を行った操作者の氏名等の表示を行う等することで、操作者に対して写損が生じた理由を認識させ、撮影時の写損理由の発生を効率的に抑止する発明が開示されている。
【先行技術文献】
【特許文献】
【０００５】
【特許文献１】特開２０１２−１３５６９７号公報
【発明の概要】
【発明が解決しようとする課題】
【０００６】
しかしながら、特許文献１に記載されている発明では、例えば「線量不足」や「線量過多」等の写損理由のみを記憶して統計をとり、操作者全員の写損理由の統計を表示させたり、操作者ごとの写損理由の統計を表示させる等して傾向を示すことで、操作者に対して写損が生じた理由を認識させるものでしかない。
【０００７】
すなわち、特許文献１に記載された発明では、写損が生じた際に、実際にどの程度の線量の放射線を照射したかが定量的に管理されていないため、例えば、同じ撮影装置を用いて同じ患者（被写体）に対して次に撮影を行う際に、照射する線量をどの程度増加或いは減少させればよいかを定量的に知ることができないという問題があった。
【０００８】
本発明は、上記の問題点を鑑みてなされたものであり、写損が生じた際に照射した放射線の線量等を定量的に管理することが可能な放射線画像撮影システムを提供することを目的とする。
【課題を解決するための手段】
【０００９】
前記の問題を解決するために、本発明の放射線画像撮影システムは、
撮影された放射線画像が写損であることを入力する入力手段と、
撮影された放射線画像が写損であることが入力された場合に、写損とされた撮影に関する線量情報を保存する記憶手段と、
前記記憶手段に保存された前記写損とされた撮影に関する線量情報を出力する出力手段と、
を備えることを特徴とする。
【発明の効果】
【００１０】
本発明のような方式の放射線画像撮影システムによれば、写損が生じた際に照射した放射線の線量等を定量的に管理することが可能となる。
【図面の簡単な説明】
【００１１】
【図１】放射線画像撮影システムに用いられる放射線画像撮影装置の外観を示す斜視図である。
【図２】放射線画像撮影装置の等価回路を表すブロック図である。
【図３】プレビュー用の信号値の抽出の仕方の一例を説明する図である。
【図４】本実施形態に係る放射線画像撮影システムの１つの構成例を表す図である。
【図５】放射線発生装置等を搭載した回診車を病室に搬送して撮影を行う状態を表す図である。
【図６】撮影オーダー情報の例を表す図である。
【図７】コンソールの表示部上に表示される表示画面の構成例を表す図である。
【図８】本実施形態の記憶手段には正常画像線量情報格納テーブルと写損画像線量情報格納テーブルとが設けられていることを表す図である。
【図９】（Ａ）正常画像線量情報格納テーブルの構成例を表す図であり、（Ｂ）ＤＩＣＯＭ規格に則ってＲＩＳに出力するためのタグや値等を説明する図である。
【図１０】写損処理が行われると表示画面上のプレビュー用の放射線画像やサムネイル画像が×印を付けられて表示されることを表す図である。
【図１１】写損画像線量情報格納テーブルの構成例を表す図である。
【図１２】再撮影が行われて表示画面上にプレビュー用の放射線画像が表示された状態を表す図である。
【図１３】一連の撮影が終了すると表示画面上に写損を含むサムネイル画像が並べて表示される状態になることを表す図である。
【図１４】写損取り消しボタンアイコンが設けられた表示画面の例を表す図である。
【図１５】写損取り消し処理が行われた場合に表示画面上での表示が変わることを説明する図である。
【図１６】（Ａ）写損取り消しフラグが設けられた写損画像線量情報格納テーブルの構成例を表す図であり、（Ｂ）写損取り消し処理が行われた場合の写損画像線量情報格納テーブルの状態を表す図である。
【発明を実施するための形態】
【００１２】
以下、本発明に係る放射線画像撮影システムの実施の形態について、図面を参照して説明する。
【００１３】
なお、以下では、放射線画像撮影装置が、複数の放射線検出素子７（後述する図２参照）が二次元状に配列された図示しないセンサーパネルが筐体２（後述する図１参照）内に収納された、いわゆる可搬型である場合について説明するが、本発明はこの場合に限定されず、例えば、センサーパネルが支持台等と一体的に形成された、いわゆる専用機型（据え付け型等ともいう。）の放射線画像撮影装置であってもよい。
【００１４】
［放射線画像撮影装置の構成について］
まず、本実施形態に係る放射線画像撮影システムに用いられる放射線画像撮影装置の構成等について簡単に説明する。図１は、放射線画像撮影装置の外観を示す斜視図であり、図２は、放射線画像撮影装置の等価回路を表すブロック図である。放射線画像撮影装置１は、図示しないセンサー基板上に二次元状（マトリクス状）に配列された複数の放射線検出素子７（図２参照）が筐体２（図１参照）内に収納されて形成されている。
【００１５】
そして、図１に示すように、放射線画像撮影装置１の筐体２の一方の側面には、電源スイッチ２５や切替スイッチ２６、コネクター２７、インジケーター２８等が配置されている。また、図示を省略するが、筐体２の反対側の側面には、外部と無線方式で通信を行うためのアンテナ２９（後述する図２参照）が設けられている。
【００１６】
図２に示すように、各放射線検出素子７には、バイアス線９が接続されており、バイアス線９やそれらの結線１０を介してバイアス電源１４から逆バイアス電圧が印加される。また、各放射線検出素子７には、スイッチ素子としてＴＦＴ（Thin Film Transistor）８が接続されており、ＴＦＴ８は信号線６に接続されている。そして、各放射線検出素子７では、照射された放射線の線量に応じた電荷が各放射線検出素子７内でそれぞれ発生するようになっている。
【００１７】
また、走査駆動手段１５では、配線１５ｃを介して電源回路１５ａから供給されたオン電圧とオフ電圧がゲートドライバー１５ｂで切り替えられて走査線５の各ラインＬ１〜Ｌｘに印加される。そして、各ＴＦＴ８は、走査線５を介してオフ電圧が印加されるとオフ状態になり、放射線検出素子７と信号線６との導通を遮断して、電荷を放射線検出素子７内に蓄積させる。また、走査線５を介してオン電圧が印加されるとオン状態になり、放射線検出素子７内に蓄積された電荷を信号線６に放出させる。
【００１８】
各信号線６は、読み出しＩＣ１６内の各読み出し回路１７にそれぞれ接続されている。そして、信号値Ｄの読み出し処理の際には、ゲートドライバー１５ｂから走査線５の各ラインＬ１〜Ｌｘにオン電圧が順次印加される。そして、ＴＦＴ８がオン状態になると、放射線検出素子７から電荷がＴＦＴ８や信号線６を介して読み出し回路１７に流れ込み、増幅回路１８で、流れ込んだ電荷の量に応じた電圧値が出力される。
【００１９】
相関二重サンプリング回路（図２では「ＣＤＳ」と記載されている。）１９は、増幅回路１８から出力された電圧値をアナログ値の信号値Ｄとして読み出して出力し、出力された信号値Ｄはアナログマルチプレクサー２１を介してＡ／Ｄ変換器２０に順次送信され、Ａ／Ｄ変換器２０でデジタル値の信号値Ｄに順次変換されて記憶手段２３に順次保存されるようになっている。
【００２０】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。
【００２１】
また、制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３や、リチウムイオンキャパシター等で構成される内蔵電源２４が接続されており、また、前述したアンテナ２９やコネクター２７を介して外部と無線方式や有線方式で通信を行うための通信部３０が接続されている。
【００２２】
また、制御手段２２は、上記のように、バイアス電源１４から各放射線検出素子７への逆バイアス電圧の印加を制御したり、走査駆動手段１５や読み出し回路１７等の動作を制御して、各放射線検出素子７からの信号値Ｄの読み出し処理を行わせ、読み出された信号値Ｄを記憶手段２３に保存したり、或いは、保存された信号値Ｄを、通信部３０を介して外部に転送する等の制御を行うようになっている。
【００２３】
一方、本実施形態では、放射線画像撮影装置１の制御手段２２は、上記のようにして各放射線検出素子７から各信号値Ｄを読み出すと、読み出した信号値Ｄの中から所定の割合でプレビュー用の信号値Ｄpreを抽出し、抽出したプレビュー用の信号値Ｄpreを他の信号値Ｄよりも先にコンソールＣに転送し、その後、残りの信号値ＤをコンソールＣに転送するようになっている。なお、プレビュー用の信号値Ｄpreを抽出せずに最初から全ての信号値ＤをコンソールＣに転送するように構成することも可能である。
【００２４】
プレビュー用の信号値Ｄpreの抽出の仕方としては、例えば、例えば図３に示すように、読み出した信号値Ｄ（ｎ，ｍ）の中から、図中に斜線を付して示すように、所定本数（図３の場合は４本）の走査線５ごとに１本の割合で指定された走査線５に接続されている各放射線検出素子７から読み出された信号値Ｄ（ｎ，ｍ）を抽出して、プレビュー用の信号値Ｄpreとするように構成することが可能である。
【００２５】
なお、図３において、Ｌ１、Ｌ２、…は走査線５のラインＬ１、Ｌ２、…（図２参照）を表し、Ｄ（ｎ，ｍ）は二次元状に配列された各放射線検出素子７のうちのｎ行、ｍ列目の放射線検出素子７（ｎ，ｍ）から読み出された信号値Ｄを表す。また、プレビュー用の信号値Ｄpreの抽出の仕方は、これに限定されず、例えば、３×３個や４×４個等の放射線検出素子７から読み出された各信号値Ｄの中から１個の割合でプレビュー用の信号値Ｄpreを抽出するように構成することも可能である。
【００２６】
［放射線画像撮影装置を用いた撮影について］
ここで、上記の放射線画像撮影装置１を用いた撮影について説明する。撮影は、例えば図４に示すように撮影室Ｒａ内で行うことも可能であり、また、図５に示すように、後述する放射線発生装置５２等を搭載した回診車７０を病室Ｒ１に搬送して行うことも可能である。
【００２７】
例えば、撮影を撮影室Ｒａ内で行う場合、例えば図４に示すように、放射線画像撮影装置１を撮影台５１のカセッテホルダー５１ａに装填して撮影が行われる。なお、図４において、撮影台５１Ａは立位撮影用の撮影台を表し、撮影台５１Ｂは臥位撮影用の撮影台を表している。また、例えば、放射線画像撮影装置１を臥位撮影用の撮影台５１Ｂの天板上に横臥した図示しない被写体と天板との間に差し込む等して撮影を行うことも可能である。
【００２８】
撮影室Ｒａには、図示しない被写体を介して放射線画像撮影装置１に放射線を照射する放射線発生装置５２が少なくとも１つ設けられている。また、撮影室Ｒａには、撮影室Ｒａ内の各装置等や撮影室Ｒａ外の各装置等の間の無線方式や有線方式での通信等を中継するためのアンテナ５３を備えたアクセスポイント５４が設けられている。なお、放射線画像撮影装置１とアクセスポイント５４との間の通信は、無線方式で行ってもよく有線方式で行ってもよい。
【００２９】
また、アクセスポイント５４には、放射線発生装置５２のジェネレーター５５やコンソールＣ等も接続されており、アクセスポイント５４は、放射線画像撮影装置１やコンソールＣ、放射線発生装置５２のジェネレーター５５等との間の通信を中継するようになっている。
【００３０】
そして、放射線発生装置５２のジェネレーター５５は、放射線技師等の操作者により管電圧や管電流、曝射時間、照射線量等が設定されると、放射線発生装置５２から、設定された管電圧等に応じた線量の放射線を照射させるなど、放射線発生装置５２に対して種々の制御を行うようになっている。
【００３１】
前室（操作室等ともいう。）Ｒｂには、放射線発生装置５２の操作卓５７が設けられており、操作卓５７には、放射線技師等の操作者が操作してジェネレーター５５に対して放射線の照射開始等を指示するための曝射スイッチ５６が設けられている。また、前室Ｒｂには、コンピューター等で構成されたコンソールＣが設置されている。なお、コンソールＣを撮影室Ｒａや前室Ｒｂの外側や別室等に設けるように構成することも可能である。
【００３２】
そして、コンソールＣには、ＣＲＴ（Cathode Ray Tube）やＬＣＤ（Liquid Crystal Display）等で構成される表示部Ｃａが設けられており、マウスやキーボード、タッチパネル等の入力手段Ｃｂが接続されている。また、コンソールＣには、ＨＤＤ（Hard Disk Drive）等で構成された記憶手段Ｃｍが接続され、或いは内蔵されている。
【００３３】
そして、放射線技師等の操作者が、図示しない被写体である患者と放射線画像撮影装置１との位置調整等を行った後、曝射スイッチ５６を操作することで、放射線発生装置５２から放射線が照射されて撮影が行われる。そして、撮影後、放射線画像撮影装置１からプレビュー用の信号値Ｄpreや残りの信号値Ｄ等がコンソールＣに転送される。
【００３４】
一方、図５に示すように、放射線発生装置５２やコンソールＣ等を搭載した回診車７０を病室Ｒ１に持ち込んで撮影を行うことも可能である。なお、この場合、ジェネレーター５５やアクセスポイント５４（いずれも図示省略）等は、回診車７０の本体部内に収納されている。
【００３５】
そして、この場合、放射線画像撮影装置１は、図５に示すようにベッドＢｅと被写体Ｈである患者との間に差し込まれたり、或いは患者の身体にあてがわれるようにして撮影に用いられる。そして、この場合も、放射線技師等の操作者Ｔが曝射スイッチ５６を操作することで放射線発生装置５２から放射線が照射されて撮影が行われ、撮影後、放射線画像撮影装置１からプレビュー用の信号値Ｄpreや残りの信号値Ｄ等がコンソールＣに転送される。
【００３６】
なお、被写体である患者の撮影は、上記のような病院等の撮影室Ｒａや病室Ｒ１だけでなく、例えば手術室や救急処置室等の他の場所で行われる場合もある。
【００３７】
［放射線画像撮影システムについて］
次に、本実施形態に係る放射線画像撮影システム１００について説明する。また、本実施形態に係る放射線画像撮影システム１００の作用についてもあわせて説明する。なお、以下では、撮影室Ｒａで撮影が行われる図４の場合を例示して説明するが、例えば図５に示したように回診車７０を病室Ｒ１に持ち込んで撮影を行った場合には、撮影後、コンソールＣを図４に示す通信ネットワークＮに接続することで、図４と同様の放射線画像撮影システム１００を構築することができる。
【００３８】
本実施形態では、放射線画像撮影システム１００は、上記のコンソールＣと、ＲＩＳ（Radiology Information System；放射線科情報システム）１０１と、コンソールＣが生成した診断提供用の放射線画像ｐ等を保存する画像サーバー１０２と、ビューアーやプリンター等の周辺機器１０３とが通信ネットワークＮを介してデータ通信可能に接続されて構成されている。
【００３９】
また、通信ネットワークＮには、ＰＡＣＳ（Picture Archiving and Communication System：画像管理システム）１０４や図示しない他のコンソールＣや他のモダリティー等が接続されていてもよい。また、図示を省略するが、通信ネットワークＮにＨＩＳ（Hospital Information System；病院情報システム）が接続されていてもよく、また、ＨＩＳがＲＩＳに別のネットワークを介して接続されていてもよい。
【００４０】
そして、本実施形態では、少なくともコンソールＣやＲＩＳ１０１、画像サーバー１０２、周辺機器１０３の間の通信には、医療情報交換のための標準規格であるＤＩＣＯＭ（Digital Imaging and Communications in Medicine）規格が用いられるようになっており、以下でもその場合について説明するが、本発明はＤＩＣＯＭ規格が用いられる場合に限定されない。
【００４１】
撮影に先立って、コンソールＣは、放射線技師等の操作者の操作に基づいて、管理システムであるＲＩＳ１０１から、例えばその日にある患者について行う一連の撮影に関する撮影オーダー情報を受信して取得するようになっている。ＲＩＳ１０１は、例えば図６に示すような撮影オーダー情報を管理している。
【００４２】
そして、撮影オーダー情報は、例えば図６に示すように、「患者ＩＤ」Ｐ２や「患者氏名」Ｐ３、「性別」Ｐ４、「年齢」や生年月日Ｐ５、「診療科」Ｐ６等の患者情報や、「撮影部位」Ｐ７や「撮影方向」Ｐ８、「撮影日」Ｐ９等の撮影条件が指定されて構成されている。また、各撮影オーダー情報には、例えば受け付け順に「撮影オーダーＩＤ」Ｐ１が自動的に割り当てられている。
【００４３】
そして、放射線技師等の操作者がコンソールＣ上で例えば「撮影日」Ｐ９や「患者氏名」Ｐ３（或いは「患者ＩＤ」Ｐ２）等を指定してＲＩＳ１０１に送信すると、ＤＩＣＯＭのＭＷＭ（Modality Working Management或いはＭＷＬ（Modality Worklist））機能により、ＲＩＳ１０１は、自らが記憶している情報を検索して、当該撮影日や当該患者等が指定された撮影オーダー情報を選び出してコンソールＣに送信する。コンソールＣは、例えばこのようにして、撮影前に、一連の撮影に関する撮影オーダー情報を取得するようになっている。
【００４４】
なお、本実施形態では、実際には、ＲＩＳ１０１から特有の形で送信されてきた撮影オーダー情報に関する情報をコンソールＣが解釈して撮影オーダー情報を図６に示したような状態に形成するようになっている。また、ＲＩＳ１０１からコンソールＣに撮影オーダー情報を送信する際、ＤＩＣＯＭ規格では、撮影ごと（すなわち撮影オーダー情報ごと）に検査ＩＤ（Study ID）が発番されて送信される。本実施形態では、説明を簡単にするために、この検査ＩＤとして上記の「撮影オーダーＩＤ」Ｐ１が発番される場合について説明するが、検査ＩＤとして撮影オーダーＩＤとは別の番号が発番されるように構成することも可能である。
【００４５】
また、以下では、一連の撮影に関する撮影オーダー情報として、図６に示した各撮影オーダー情報のうち患者「Ｍ」に関する４つの撮影オーダー情報に基づいて撮影が行われる場合を例示して説明するが、「一連の撮影」は必ずしも複数の撮影を意味するものではなく、１撮影のみであってもよい（この場合、「一連の撮影に関する撮影オーダー情報」は１つということになる。）。
【００４６】
撮影を開始する際には、放射線技師等の操作者は、ＤＩＣＯＭのＭＰＰＳ（Modality Performed Procedure Step）機能に基づいて、コンソールＣ上でこれから行う撮影の撮影オーダー情報（この例では上記の４つの撮影オーダー情報）を指定し、ＲＩＳ１０１に送信して撮影開始を通知するようにコンソールＣに指示する。すると、コンソールＣは、これらの各情報に撮影開始時刻等の情報を付帯させてＲＩＳ１０１に撮影開始を通知する（ＭＰＰＳ（Inprogress））。ＲＩＳ１０１は、それに対して了解した旨の信号をコンソールＣに返信する。
【００４７】
そして、コンソールＣは、例えば放射線画像撮影装置１の電源をオンしたり、放射線画像撮影装置１をいわゆるスリープモードから覚醒させて撮影可能な状態にする等して放射線画像撮影装置１を制御する。このようにして、コンソールＣは、上記のようにして取得した撮影オーダー情報に基づく撮影が適切に行われるように放射線画像撮影装置１等を制御するようになっている。
【００４８】
また、放射線技師等の操作者は、放射線発生装置５２のジェネレーター５５に管電圧や管電流、曝射時間、照射線量等を設定したり、患者を撮影室Ｒａに招き入れたり、或いは患者とカセッテホルダー５１ａとの位置を調整する等して、撮影に向けての準備を行う。そして、前室Ｒｂに移動して曝射スイッチ５６を操作して放射線発生装置５２から放射線を照射させる。
【００４９】
放射線が照射されると、放射線発生装置５２のジェネレーター５５から、放射線を照射した際に設定されていた管電圧や管電流、曝射時間、照射線量等の情報がコンソールＣに送信されてくるため、コンソールＣはそれらの情報を記憶手段Ｃｍ（図４参照）等に保存する。
【００５０】
また、放射線発生装置５２から放射線が照射されて撮影が行われると、前述したように、放射線画像撮影装置１の制御手段２２は、各放射線検出素子７からの信号値Ｄの読み出し処理を行わせ、読み出した信号値Ｄの中からプレビュー用の信号値Ｄpreを抽出し、抽出したプレビュー用の信号値ＤpreをコンソールＣに転送する。コンソールＣは、転送されてきたプレビュー用の信号値Ｄpreを記憶手段Ｃｍ等に保存する。そして、コンソールＣは、前述したように放射線画像撮影装置１から続けて残りの信号値Ｄが転送されてくると、残りの信号値Ｄも記憶手段Ｃｍ等に保存する。
【００５１】
そして、コンソールＣは、放射線画像撮影装置１から転送されてきたプレビュー用の信号値Ｄpreを受信すると、プレビュー用の信号値Ｄpreに簡単な画像処理を施してプレビュー用の放射線画像ｐpreを生成する。そして、表示部Ｃａ上にプレビュー用の放射線画像ｐpreを表示するようになっている。
【００５２】
その際、本実施形態では、プレビュー用の放射線画像ｐpre（或いは生成した診断提供用の放射線画像ｐ（不図示））は、例えば図７に示すようなコンソールＣの表示部Ｃａ上に表示された表示画面の中央に表示されるようになっている。そして、図７に示した表示画面の例では、表示画面の左側に、撮影されたプレビュー用の放射線画像ｐpreや診断提供用の放射線画像ｐのサムネイル画像ｐｔが表示されるようになっている。
【００５３】
また、表示画面の右側には、放射線技師等の操作者がプレビュー用の放射線画像ｐpreを承認する際にクリックする「ＯＫ」ボタンアイコンＩａや、プレビュー用の放射線画像ｐpreを写損とする場合にクリックする「写損」ボタンアイコンＩｂ、一連の撮影を中断する際にクリックする「検査中断」ボタンアイコンＩｃ、一連の撮影が終了した際にクリックする「検査終了」ボタンアイコンＩｄ等が表示されるようになっている。
【００５４】
なお、例えば、表示画面左側のサムネイル画像ｐｔをクリックすると、そのサムネイル画像ｐｔに対応するプレビュー用の放射線画像ｐpreや生成された診断提供用の放射線画像ｐが表示画面の中央に表示されるように構成することが可能である。また、表示画面上には、他の処理を行わせるためのボタンアイコン等を表示するように構成することも可能であり、表示画面は適宜構成される。
【００５５】
また、コンソールＣは、放射線技師等の操作者が「写損」ボタンアイコンＩｂをクリックしない限り、プレビュー用の放射線画像ｐpreが承認されたものとして各処理を行うように構成することも可能である。なお、そのように構成する場合は、「ＯＫ」ボタンアイコンＩａは必ずしも設けられなくてもよい。
【００５６】
［プレビュー用の放射線画像が承認された場合の処理］
プレビュー用の放射線画像ｐpreが写損と判断された場合の処理について説明する前に、プレビュー用の放射線画像ｐpreが承認された場合の処理について以下説明する。
【００５７】
コンソールＣは、放射線技師等の操作者によりプレビュー用の放射線画像ｐpreが承認され「ＯＫ」ボタンアイコンＩａがクリックされると、或いは操作者による承認を待たずに、放射線画像撮影装置１から転送されてきたプレビュー用の信号値Ｄpreと残りの信号値Ｄとを合成して復元した元の全ての信号値Ｄに対してゲイン補正やオフセット補正、撮影部位に応じた階調処理等の画像処理を行って診断提供用の放射線画像ｐを生成する。
【００５８】
そして、図示を省略するが、コンソールＣは、診断提供用の放射線画像ｐを生成すると、表示部Ｃａの表示画面の中央に表示されているプレビュー用の放射線画像ｐpreに代えて生成した診断提供用の放射線画像ｐを表示するようになっている。なお、サムネイル画像ｐｔも、それにあわせて、プレビュー用の放射線画像ｐpreのサムネイル画像ｐｔから診断提供用の放射線画像ｐのサムネイル画像ｐｔに切り替えるように構成することが可能である。
【００５９】
そして、放射線技師等の操作者により必要に応じて診断提供用の放射線画像ｐの画質の調整等が行われた後、コンソールＣは、診断提供用の放射線画像ｐとその基となった撮影オーダー情報とを対応付けて記憶手段Ｃｍに保存する。撮影オーダー情報と対応付けられた診断提供用の放射線画像ｐは、撮影（検査）終了時（或いは撮影（検査）中断時）に、一連の撮影における他の撮影オーダー情報と対応付けられた診断提供用の放射線画像ｐとともに通信ネットワークＮを介して画像サーバー１０２（図４参照）に送信されて、画像サーバー１０２に保存される。
【００６０】
また、コンソールＣは、上記のように、診断提供用の放射線画像ｐと撮影オーダー情報とを対応付けて記憶手段Ｃｍに保存するとともに、承認されたプレビュー用の放射線画像ｐpre（或いは診断提供用の放射線画像ｐ）が撮影された際に放射線発生装置５２のジェネレーター５５に設定されていた管電圧や管電流、曝射時間、照射線量等の情報を線量情報として撮影オーダー情報の撮影オーダーＩＤ（図６参照）等と対応付けて記憶手段Ｃｍに保存する。
【００６１】
そして、撮影オーダー情報の撮影オーダーＩＤ等と対応付けられた線量情報は、撮影（検査）終了時や撮影（検査）中断時に、一連の撮影のうちの他の撮影の際の、撮影オーダー情報の撮影オーダーＩＤ等と対応付けられた線量情報とともに通信ネットワークＮを介してＲＩＳ１０１（図４参照）に出力される。
【００６２】
なお、前述したように、本実施形態では、少なくともコンソールＣとＲＩＳ１０１の間の通信にはＤＩＣＯＭ規格が用いられるため、管電圧や管電流、曝射時間、照射線量等の線量情報として撮影オーダー情報の撮影オーダーＩＤ等と対応付けて記憶手段Ｃｍに保存する際にはＤＩＣＯＭ規格にあわせた形式で保存するようになっている。
【００６３】
具体的には、例えば図８に示すように、本実施形態では、記憶手段Ｃｍに正常画像線量情報格納テーブルＴ１が設けられている。なお、この「正常画像線量情報格納テーブルＴ１」の記載を含め、本明細書において「正常」とは、写損ではないこと（すなわち放射線技師等の操作者によりプレビュー用の放射線画像ｐpreが承認されたこと）を表す。また、図８に記載されている写損画像線量情報格納テーブルＴ２については、後で説明する。
【００６４】
そして、コンソールＣは、線量情報等をＤＩＣＯＭ規格でＲＩＳ１０１に出力できるようにするために、例えば図９（Ａ）に示すように、撮影ごとに、記憶手段Ｃｍの正常画像線量情報格納テーブルＴ１の各格納先にそれぞれパラメーターを書き込んで保存するようになっている。
【００６５】
なお、正常画像線量情報格納テーブルＴ１に書き込む線量情報（すなわち後でＲＩＳ１０１に出力する線量情報）として、上記のように放射線発生装置５２のジェネレーター５５に設定された管電圧等の情報以外にも、例えば、コンソールＣや放射線画像撮影装置１の制御手段２２が、放射線画像撮影装置１の各放射線検出素子７から読み出された各信号値Ｄから放射線画像撮影装置１に照射された放射線の線量を割り出し、割り出した放射線の線量を線量情報として正常画像線量情報格納テーブルＴ１に書き込むように構成することも可能である。
【００６６】
また、例えば、放射線発生装置５２の線源の近傍等に図示しない線量計を配置したり、被写体の、放射線が照射される側に線量計を配置する等して、放射線発生装置５２から被写体に照射される放射線の線量を計測するように構成し、計測された放射線の線量を線量情報として正常画像線量情報格納テーブルＴ１に書き込むように構成することも可能である。
【００６７】
そして、一連の撮影が終了し、診断提供用の放射線画像ｐの画質の調整等を行った後、放射線技師等の操作者が表示画面の「検査終了」ボタンアイコンＩｄ（図７参照）をクリックすると、コンソールＣは、記憶手段Ｃｍに保存されている撮影ごとに撮影オーダー情報と対応付けられた診断提供用の放射線画像ｐをそれぞれ読み出して、前述したように、通信ネットワークＮを介して一連の撮影における撮影オーダー情報と対応付けられた診断提供用の放射線画像ｐを画像サーバー１０２に送信して保存させる。
【００６８】
また、それとともに、コンソールＣは、撮影ごとに正常画像線量情報格納テーブルＴ１に書き込んだ各線量情報等（図９（Ａ）参照）を記憶手段Ｃｍから読み出し、図９（Ｂ）に示すように、ＤＩＣＯＭ規格に則ってＲＩＳ１０１に出力できるようにするために、各属性名（Attribute Name）に対応する各タグ（Tag）にそれぞれ値（Value）すなわち正常画像線量情報格納テーブルＴ１におけるパラメーターを紐づけて撮影終了時刻等の情報とともにＲＩＳ１０１に出力する（ＭＰＰＳ（Completed））。
【００６９】
そして、ＲＩＳ１０１は、この場合、線量情報等とともに出力された検査ステータスが撮影（検査）終了（Completed）であるため、了解した旨の信号をコンソールＣに返信し、一連の撮影が終了したことを認識する。
【００７０】
なお、ＲＩＳ１０１に出力する線量情報は、必ずしも図９（Ｂ）に示したような管電圧や管電流、曝射時間、照射線量である必要はなく、例えば、照射線量だけであってもよく、照射線量以外の管電圧等であってもよい。また、それらの代わりに、或いはそれらとともに、上記の放射線画像撮影装置１に照射された放射線の線量や、放射線発生装置５２から被写体に照射された放射線の線量を線量情報として出力するように構成することも可能である。
【００７１】
一方、一連の撮影の途中で放射線技師等の操作者により表示画面の「検査中断」ボタンアイコンＩｃ（図７参照）がクリックされた場合も、コンソールＣは、上記の撮影（検査）終了の場合と同様に、「検査中断」ボタンアイコンＩｃがクリックされた時点で、撮影ごとに記憶手段Ｃｍの正常画像線量情報格納テーブルＴ１に書き込まれている各線量情報等を記憶手段Ｃｍから読み出し、図９（Ｂ）に示すように、各属性名に対応する各タグに値（すなわちパラメーター）をそれぞれ紐づけて撮影中断時刻等の情報とともにＲＩＳ１０１に出力する（ＭＰＰＳ（Discontinued））。
【００７２】
ＲＩＳ１０１は、それに対して了解した旨の信号をコンソールＣに返信するが、この場合は、検査ステータスが撮影（検査）終了（Completed）ではなく撮影（検査）中断（Discontinued）あるため、ＲＩＳ１０１は、一連の撮影が終了したとは認識しない。
【００７３】
このように、本実施形態では、コンソールＣは、撮影（検査）終了時や撮影（検査）中断時に、撮影ごとの各線量情報をＲＩＳ１０１に出力するようになっている。
【００７４】
なお、撮影（検査）中断の際に、コンソールＣから画像サーバー１０２に、それまでに撮影された撮影ごとの診断提供用の放射線画像ｐ（撮影オーダー情報と対応付けられている。）を送信してもよく、また、撮影（検査）終了時点で、診断提供用の放射線画像ｐをまとめて送信するように構成することも可能である。
【００７５】
［写損と判断された場合の処理］
一方、コンソールＣの表示部Ｃａ上に表示されたプレビュー用の放射線画像ｐpre（図７参照）が、被写体である患者の体動等によってぶれていたり、放射線の照射野の設定をミスして病変部等が適切に撮影されていなかったり、照射する放射線の線量が不足し或いは多過ぎて画像が全体的に白っぽく或いは黒っぽくなっている場合には、放射線技師等の操作者は、撮影されたプレビュー用の放射線画像ｐpre（或いは同じ撮影オーダー情報に基づいて撮影された診断提供用の放射線画像ｐ）が写損であると判断する。
【００７６】
そして、この場合、放射線技師等の操作者は、コンソールＣの表示部Ｃａ上に表示された表示画面上の「写損」ボタンアイコンＩｂをクリックして写損処理を行ったうえで、再撮影を行う。なお、本実施形態では、「写損」ボタンアイコンＩｂがクリックされると、コンソールＣは、表示画面上に表示されているプレビュー用の放射線画像ｐpre等が写損であることを明確に表すために、例えば図１０に示すように、プレビュー用の放射線画像ｐpreやサムネイル画像ｐｔ等に×印を付けて表示するようになっている。
【００７７】
ところで、従来、放射線画技師等の操作者が上記のようにプレビュー用の放射線画像ｐpre等が写損であるとして写損処理を行う際、コンソールＣは、写損とされたプレビュー用の放射線画像ｐpreに関連する撮影に関するデータ、すなわち放射線画像撮影装置１から転送されてきたプレビュー用の信号値Ｄpreや残りの信号値Ｄ（或いは全ての信号値Ｄ）等のデータ、放射線の照射後に放射線発生装置５２のジェネレーター５５から送信されてきた管電圧等の線量情報等を破棄するように構成されていた。或いは、信号値Ｄと線量情報等のいずれか一方、或いはそれらの全ての情報をコンソールＣの記憶手段Ｃｍ等に残すように構成される場合もあった。
【００７８】
しかしながら、従来は、少なくとも写損の場合の線量情報をコンソールＣからＲＩＳ１０１に出力することはなかった。また、前述したように、特許文献１に、画像の写損が発生した場合にその理由を記憶してＲＩＳ１０１に出力することが記載されているが、写損理由のみであり、写損が発生した際の線量情報がＲＩＳ１０１に出力されるようには構成されていない。
【００７９】
それに対し、本実施形態では、コンソールＣは、上記のように放射線技師等の操作者によりプレビュー用の放射線画像ｐpreや診断提供用の放射線画像ｐが写損であると判断された場合には、写損となったプレビュー用の放射線画像ｐpre等の撮影に関する線量情報を記憶手段Ｃｍに保存させるとともに、一連の撮影が終了した時点（撮影（検査）終了）や一連の撮影が中断された時点（撮影（検査）中断）で、正常に撮影が行われた撮影に関する線量情報とともに、写損となったプレビュー用の放射線画像ｐpre等の撮影に関する線量情報を管理システムであるＲＩＳ１０１に出力するようになっている。以下、そのための構成等について具体的に説明する。
【００８０】
すなわち、本実施形態では、例えば図８に示すように、記憶手段Ｃｍには、前述した正常画像線量情報格納テーブルＴ１の他に、写損画像線量情報格納テーブルＴ２（図１１参照）が設けられている。なお、以下では、記憶手段Ｃｍに正常画像線量情報格納テーブルＴ１と写損画像線量情報格納テーブルＴ２とが別々に設けられているものとして説明するが、後述するように、正常画像か写損画像かは「code Meaning」を正常または写損とするだけで区別することができるため、テーブルを１つだけ設けておき、正常画像も写損画像も１つのテーブルに保存するように構成することも可能である。
【００８１】
そして、コンソールＣは、表示部Ｃａ上に表示されたプレビュー用の放射線画像ｐpre（図７参照）が写損であると判断した放射線技師等の操作者により表示画面上の「写損」ボタンアイコンＩｂがクリックされると、放射線の照射後に放射線発生装置５２のジェネレーター５５から送信されてきた管電圧等の線量情報や撮影オーダー情報の撮影オーダーＩＤ等を、記憶手段Ｃｍの写損画像線量情報格納テーブルＴ２に書き込んで保存するようになっている。
【００８２】
なお、この場合、前述したように、一連の撮影後に、撮影オーダー情報と対応付けられた正常に撮影された放射線画像ｐとともに、写損とされたプレビュー用の放射線画像ｐpreや診断提供用の放射線画像ｐを撮影オーダー情報と対応付けて画像サーバー１０２（図４参照）に送信して保存させてもよく、また、写損とされた画像は破棄するように構成することも可能である。
【００８３】
そして、再撮影が行われ、放射線画像撮影装置１からプレビュー用の信号値Ｄpreが転送されてくると、コンソールＣは、それに基づいてプレビュー用の放射線画像ｐpreを生成して、図１２に示すように表示画面上に表示する。その際、本実施形態では、写損とされたプレビュー用の放射線画像ｐpreのサムネイル画像ｐｔ（すなわち×印が付けられたサムネイル画像ｐｔ）は表示画面から削除せずに表示画面の左側に残して表示しておき、再撮影されたプレビュー用の放射線画像ｐpreのサムネイル画像ｐｔをその下側に表示するようになっている。
【００８４】
このように構成することで、一連の撮影を行う際に、放射線技師等の操作者が、写損が生じたことを忘れたり、どの放射線画像ｐについて写損が生じたか（すなわち再撮影を行ったか）等を忘れてしまうことを的確に防止することが可能となる。
【００８５】
そして、再撮影のプレビュー用の放射線画像ｐpre（図１２参照）が放射線技師等の操作者により承認されると、図示を省略するが、上記の正常に撮影が行われた場合（図９（Ａ）参照）と同様に記憶手段Ｃｍの正常画像線量情報格納テーブルＴ１の各格納先にそれぞれパラメーターが書き込まれて保存されるが、この場合、「CODE_MEANING」には、「正常」ではなく、再撮影を表す「再撮」というステータスが書き込まれる。
【００８６】
そして、例えば、その後、一連の撮影が正常に行われた場合には、撮影ごとに表示画面中央にプレビュー用の放射線画像ｐpreが表示されるとともに、図１３に示すように、表示画面の左側に、写損を含むサムネイル画像ｐｔが並べて表示される状態になる。また、それらの撮影が正常に行われた場合には、上記のように、コンソールＣは、管電圧等の線量情報や撮影オーダー情報の撮影オーダーＩＤ等を記憶手段Ｃｍの正常画像線量情報格納テーブルＴ１に書き込んで保存する。
【００８７】
なお、前述したようにコンソールＣが撮影前に予めＲＩＳ１０１から取得した各撮影オーダー情報に基づく一連の撮影の他に、撮影が追加して行われる場合もある。なお、この追加された撮影に関する撮影オーダー情報は、その場で作成される場合もあり、或いは撮影後に作成される場合もある。
【００８８】
そして、この場合、追加で撮影されたプレビュー用の放射線画像ｐpreが放射線技師等の操作者により承認されると、図示を省略するが、上記の正常に撮影が行われた場合（図９（Ａ）参照）と同様に記憶手段Ｃｍの正常画像線量情報格納テーブルＴ１の各格納先にそれぞれパラメーターが書き込まれて保存されるが、この場合は、「CODE_MEANING」には「追加撮影」というステータスが書き込まれる。
【００８９】
そして、一連の撮影（追加撮影を行った場合には当該追加撮影を含む一連の撮影）が終了し、放射線技師等の操作者が表示画面の「検査終了」ボタンアイコンＩｄをクリックすると、コンソールＣは、撮影ごとに正常画像線量情報格納テーブルＴ１や写損画像線量情報格納テーブルＴ２に書き込んだ各線量情報等（図９（Ａ）や図１１参照）を記憶手段Ｃｍから読み出し、図９（Ｂ）に示したように、各タグ（Tag）に値（Value）すなわち正常画像線量情報格納テーブルＴ１におけるパラメーターをそれぞれ紐づけて撮影終了時刻等の情報とともにＲＩＳ１０１に出力する（ＭＰＰＳ（Completed））。
【００９０】
なお、写損となった放射線画像ｐの撮影に関する線量情報（すなわち写損画像線量情報格納テーブルＴ２から読み出された線量情報）については、図９（Ｂ）に示した「code Meaning」は「写損」とされる。また、上記の例のように、撮影前にコンソールＣがＲＩＳ１０１から取得した一連の撮影に関する撮影オーダー情報が４つであり（図６の患者「Ｍ」に関する４つの撮影オーダー情報参照）、写損が１回発生して再撮影を１回行った場合、コンソールＣからＲＩＳ１０１に出力する線量情報は、正常４回と写損１回の計５回分の撮影の線量情報ということになる。
【００９１】
また、一連の撮影の途中で放射線技師等の操作者により表示画面の「検査中断」ボタンアイコンＩｃ（図７等参照）がクリックされた場合も、上記と同様に、撮影（検査）が中断されるまでに行われた正常に行われた撮影の回数と写損が発生した回数の合計の回数分の線量情報がＲＩＳ１０１に出力される（ＭＰＰＳ（Discontinued））。
【００９２】
［効果］
以上のように、本実施形態に係る放射線画像撮影システム１００によれば、一連の撮影で正常に行われた撮影に関する線量情報だけでなく、写損となった撮影に関する線量情報も、管理システムであるＲＩＳ１０１に出力されるため、ＲＩＳ１０１等の管理システムで、正常に行われた撮影に関する線量情報だけでなく写損となった撮影に関する線量情報も的確にかつ定量的に管理することが可能となる。
【００９３】
そのため、例えば、放射線技師等の操作者は、以前に写損を生じた同じ撮影装置を用いて同じ患者（被写体）に対して次に撮影を行う際に、照射する線量をどの程度増加させたり減少させたりすればよいかを定量的に知ることが可能となる。そして、このように照射する線量を、以前に写損を生じた撮影の線量よりも適切かつ定量的に増加或いは減少させることが可能となるため、以後の撮影において、写損が生じる可能性を的確に低減させることが可能となる。そのため、写損が生じ再撮影が行われて被写体である患者の被曝線量が増大してしまう可能性を的確に低減させることが可能となる。
【００９４】
なお、本実施形態に係る放射線画像撮影システム１００の有用な効果は、これに限らない。すなわち、本実施形態に係る放射線画像撮影システム１００によれば、上記のように、ＲＩＳ１０１等の管理システムで、放射線画像撮影システム１００を用いて行われた、写損の場合を含む全ての撮影について、照射された放射線の線量情報を的確に管理することが可能となる。
【００９５】
そのため、例えば患者単位で見た場合、ある患者に対して正常に撮影が行われた場合だけでなく写損が発生した場合にも当該患者には放射線が照射されているため、本実施形態に係る放射線画像撮影システム１００のように写損の場合を含む全ての撮影について照射された放射線の線量情報を的確に管理することで、当該患者の、写損の場合を含む一連の撮影における総被曝線量を的確かつ定量的に把握して管理することが可能となる。
【００９６】
また、例えば１か月や１年等の一定期間ごとにある患者が被曝した被曝線量を集計することで、一定期間ごとの被曝線量を患者ごとに的確かつ定量的に把握して管理することも可能となる。
【００９７】
さらに、本実施形態に係る放射線画像撮影システム１００によれば、上記のように、ＲＩＳ１０１等の管理システムで、放射線画像撮影システム１００を用いて行われた、写損の場合を含む全ての撮影について、照射された放射線の線量情報を一元的に管理することが可能となる。
【００９８】
そのため、放射線画像撮影システム１００を備える病院等の施設において、例えば１日や１か月等の所定の期間内に、施設全体で、写損の場合を含む全ての撮影においてどれだけの線量の放射線を照射したかを定量的に管理することが可能となり、施設における放射線の線量管理を一元的にかつ定量的に行うことも可能となる。
【００９９】
また、各モダリティーごとに照射した放射線の線量を集計することで、モダリティーごとに、写損の場合を含む全ての撮影においてどれだけの線量の放射線を照射したかを定量的に管理することが可能となり、モダリティーごとの放射線の線量管理を一元的にかつ定量的に行うことも可能となる。
【０１００】
［写損取り消しの場合の処理等について］
ところで、放射線技師等の操作者が、コンソールＣの表示部Ｃａの表示画面上に表示されたプレビュー用の放射線画像ｐpreを写損として（図１０参照）、再撮影を行ったが（図１２参照）、結果が悪く、先に撮影した画像の写損を取り消して先の画像の方を採用する場合がある。
【０１０１】
そのため、このような事態に対処するために、例えば図１４に示すように、表示画面上に「写損取り消し」ボタンアイコンＩｅを設け、放射線技師等の操作者が「写損取り消し」ボタンアイコンＩｅをクリックすることでコンソールＣが写損取り消し処理を行うように構成することが可能である。なお、写損取り消しの場合に、アイコン操作ではなく別の操作を行って写損取り消しを行うように構成することも可能である。
【０１０２】
この場合、コンソールＣは、放射線技師等の操作者により「写損取り消し」ボタンアイコンＩｅがクリックされる等して写損取り消しが指示されると、先に撮影した画像の写損を取り消す写損取り消しを行う。
【０１０３】
そして、この場合、コンソールＣは、表示部Ｃａ上の表示について、例えば図１４に示したように×印が付けられて表示されていた先に写損とした画像のサムネイル画像ｐｔ（図中上側のサムネイル画像ｐｔ）から、図１５に示すように×印を取って表示するように構成することが可能である。
【０１０４】
また、この場合、記憶手段Ｃｍに保存されている線量情報等の管理も切り替える必要がある。すなわち、写損取り消しされたにもかかわらず、先に写損とされた撮影に関する線量情報等のCode Meaning（図９（Ｂ）参照）が「写損」のままであると、前述したように線量情報等がＲＩＳ１０１に出力される際に、写損として扱われてしまう。そのため、コンソールＣは、例えば以下のようにして処理するように構成することが可能である。
【０１０５】
例えば、コンソールＣは、先に写損とされた撮影について記憶手段Ｃｍの写損画像線量情報格納テーブルＴ２（図８や図１１参照）に書き込まれて保存されている線量情報等を読み出し、記憶手段Ｃｍの正常画像線量情報格納テーブルＴ１（図８や図９（Ａ）参照）に移し直して保存する。その際、その線量情報等のCode Meaningは「正常」になる（或いは書き直される。）。
【０１０６】
また、先に写損とされた撮影が上記のように写損取り消しされてその線量情報等のCode Meaningが「正常」になったからといって、再撮影の方が必ずしも写損になるわけではなく、例えば、先に写損とされ写損取り消しされた画像と再撮影された画像の両方をＰＡＣＳ等の外部システムに転送して読影医や診断医等に確認してもらう場合もある。
【０１０７】
従って、そのような場合には、先に写損とされ写損取り消しされた撮影と再撮影の両方とも線量情報等のCode Meaningは「正常」とされる。なお、この場合、読影医や診断医等により採用された方の撮影の線量情報等のCode Meaningは「正常」のままとし、採用されなかった方の撮影の線量情報等のCode Meaningを「写損」に書き直すように構成することも可能である。
【０１０８】
また、例えば、再撮影の方が結果が悪いと判断した放射線技師等の操作者が、再撮影のプレビュー用の放射線画像ｐpre等が表示された表示画面上の「写損」ボタンアイコンＩｂをクリックして写損処理を行った場合に、コンソールＣは、再撮影の方の線量情報等を記憶手段Ｃｍの写損画像線量情報格納テーブルＴ２に書き込んで保存するとともに、再撮影の方の線量情報等のCode Meaningを「写損」にする。コンソールＣは、このようにして線量情報等を写損画像線量情報格納テーブルＴ２から正常画像線量情報格納テーブルＴ１に移し替える等することで写損取り消し処理を行うように構成することが可能である。
【０１０９】
一方、このように線量情報等をテーブル間で移し替えるように構成する代わりに、例えば写損取り消しフラグＦを用いて写損取り消し処理を行うように構成することも可能である。すなわち、この場合、例えば図１６（Ａ）に示すように、記憶手段Ｃｍの写損画像線量情報格納テーブルＴ２に保存された線量情報等に写損取り消しフラグＦを立てることができるように構成する。
【０１１０】
そして、コンソールＣは、写損が生じて線量情報等が写損画像線量情報格納テーブルＴ２に書き込んで保存する際には、図１６（Ａ）に示すように、写損取り消しフラグＦは立てず（図１６（Ａ）の場合は写損取り消しフラグＦを「０」とし）、Code Meaningを「写損」として線量情報等を保存する（写損としての処理）。
【０１１１】
そして、上記のように、再撮影が行われた後、放射線技師等の操作者により「写損取り消し」ボタンアイコンＩｅがクリックされる等して写損取り消しが指示されると、コンソールＣは、図１６（Ｂ）の「撮影１」に示すように、先に写損とした撮影に関する線量情報等の線量情報等に写損取り消しフラグＦを立てて（図１６（Ｂ）の場合は写損取り消しフラグＦを「１」として）写損を取り消す（写損取り消し処理）。
【０１１２】
なお、その際、さらに、図１６（Ｂ）に示すように当該線量情報等のCode Meaningを「正常」とすれば、線量情報等がＲＩＳ１０１に出力される際に、写損として扱われてしまうことをより確実に防止することが可能となる。
【０１１３】
また、コンソールＣは、図１６（Ｂ）の「撮影２」に示すように、再撮影の方を写損として処理し、再撮影の際の線量情報等を、写損取り消しフラグＦを立てず（すなわち写損取り消しフラグＦは「０」）、Code Meaningを「写損」として写損画像線量情報格納テーブルＴ２に書き込んで保存する（写損としての処理）。
【０１１４】
そして、このように構成することで、コンソールＣは、線量情報等を写損画像線量情報格納テーブルＴ２に保存したままで写損取り消し処理を行うことが可能となり、写損が取り消された先の撮影に関する線量情報等を、写損ではなく正常に行われた撮影に関する線量情報等としてＲＩＳ１０１に出力することが可能となる。
【０１１５】
なお、本発明が上記の実施形態等に限定されず、本発明の趣旨を逸脱しない限り、適宜変更可能であることは言うまでもない。
【符号の説明】
【０１１６】
１  放射線画像撮影装置
５２  放射線発生装置
１００  放射線画像撮影システム
１０１  ＲＩＳ（管理システム）
Ｃ  コンソール（入力手段、出力手段、オーダー取得手段、写損取り消し手段）
Ｃｍ  記憶手段
Ｄ  信号値
Ｈ  被写体
ｐ  放射線画像
ｐpre  プレビュー用の放射線画像（放射線画像）
【図１】
2017144075.tif 000003
【図２】
2017144075.tif 000004
【図３】
2017144075.tif 000005
【図４】
2017144075.tif 000006
【図５】
2017144075.tif 000007
【図６】
2017144075.tif 000008
【図７】
2017144075.tif 000009
【図８】
2017144075.tif 000010
【図９】
2017144075.tif 000011
【図１０】
2017144075.tif 000012
【図１１】
2017144075.tif 000013
【図１２】
2017144075.tif 000014
【図１３】
2017144075.tif 000015
【図１４】
2017144075.tif 000016
【図１５】
2017144075.tif 000017
【図１６】
2017144075.tif 000018